(57)【要約】【課題】心臓付近の背面側から踵側に到る部分を、踵側が高くかつ直線的な姿勢に支持することのできるベッドを提供する。【解決手段】人体の背中部を支持する背ボトム２７と、腰部を支持する腰ボトム２９と、脚部を支持する脚ボトム３１とを備えたベッドであって、前記腰ボトム２９よりも前記脚ボトム３１が高く、かつ前記腰ボトム２９と脚ボトム３１とを連続した状態でほぼ同一傾斜に傾斜可能に構成してあり、前記背ボトム２７を傾斜可能に設けてある。そして、前記腰ボトム２９を傾斜するためのアクチュエータと前記背ボトム２７を傾斜するためのアクチュエータは共通のアクチュエータ９１であり、前記腰ボトム２９を上昇傾斜する場合と前記背ボトム２７を上昇傾斜する場合は、前記アクチュエータ９１の動作方向が逆方向の構成である。【選択図】図１
2006288427.tif 000002
【特許請求の範囲】
【請求項１】
人体の背中部を支持する背ボトムと、腰部を支持する腰ボトムと、脚部を支持する脚ボトムとを備えたベッドであって、前記腰ボトムよりも前記脚ボトムが高く、かつ前記腰ボトムと脚ボトムとを連続した状態でほぼ同一傾斜に傾斜可能に構成してあることを特徴とするベッド。
【請求項２】
請求項１に記載のベッドにおいて、前記背ボトムを傾斜可能に設けてあることを特徴とするベッド。
【請求項３】
請求項２に記載のベッドにおいて、前記腰ボトムを傾斜するためのアクチュエータと前記背ボトムを傾斜するためのアクチュエータは共通のアクチュエータであり、前記腰ボトムを上昇傾斜する場合と前記背ボトムを上昇傾斜する場合は、前記アクチュエータの動作方向が逆方向であることを特徴とするベッド。
【請求項４】
請求項１，２又は３に記載のベッドにおいて、前記腰ボトムを上昇動作するためのアクチュエータの動作を制御するための制御装置は、前記腰ボトムの上昇時間、傾斜状態保持時間、下降時間を制御可能であり、前記上昇時間よりも下降時間を長時間に制御する構成であることを特徴とするベッド。
【発明の詳細な説明】
【技術分野】
【０００１】
本発明は、ベッドにおけるボトムが、人体の背中を支持する背ボトムと、腰部を支持する腰ボトムと、脚部を支持する脚ボトムの複数に分割してあるベッドに係り、さらに詳細には、前記腰ボトムと脚ボトムとをほぼ同一角度に傾斜することができ、ベッド使用者の心臓付近を低くして腰部及び脚部を高く上昇することのできるベッドに関する。
【背景技術】
【０００２】
ベッドには、ボトムを、人体の背中部を支持する背ボトムと、腰部を支持する腰ボトムと、膝部を支持する膝ボトムと、脚部を支持する脚ボトムなどの複数のボトムに分割した構成のベッドがある。そして、従来のベッドにおいては、構成の簡素化を図るために、前記背ボトムを上昇傾斜するためのリンク機構と前記膝ボトムを上昇傾斜するためのリンク機構とを連動する構成が一般的である（例えば特許文献１参照）。
【特許文献１】特開平８−１９１８６４号公報
【発明の開示】
【発明が解決しようとする課題】
【０００３】
前記特許文献１に記載のベッドは、図２，図３に示すごとき構成である。すなわち、ベッド１におけるボトムは、人体の背中部を支持する背ボトム３と、腰部を支持する腰ボトム５と、膝部を支持する膝ボトム７と、脚部を支持する脚ボトム９との４部分に分割してある。そして、前記背ボトムを上昇傾斜するための背上げリンク機構１１と、膝ボトム７を上昇傾斜するための膝上げリンク機構１３は連動リンク１５を介して連結してある。したがって、背ボトム３を上昇傾斜すると、膝ボトム７はリンク機構１１，１３を介して上昇傾斜されるものである。
【０００４】
すなわち、前記構成においては背を起こすことができると共に膝部を高く上げることができる。ところで、血流の回復を効果的に行って、足のむくみやだるみの回復を図り、かつ疲労の回復を図るには、人体の心臓付近の背中側（背面側）が最も低くなる姿勢が望ましいものである。そして、前記背中側から踵部に至る部分は、踵部が最も高くなる姿勢であって、前記背中側から踵部に至る部分はほぼ直線状態の姿勢であることが望ましいものである。
【０００５】
ところが、前記ベッドの構成においては、背ボトムと膝ボトムとが連動して上昇傾斜される構成であり、しかも腰部を支持する腰ボトムは常に水平状態にあるので、使用者の心臓付近の背中側から踵部に至る部分が、踵部が高くなるように、かつ直線状の姿勢に支持することができないという問題がある。
【課題を解決するための手段】
【０００６】
本発明は、上述のごとき問題に鑑みてなされたもので、人体の背中部を支持する背ボトムと、腰部を支持する腰ボトムと、脚部を支持する脚ボトムとを備えたベッドであって、前記腰ボトムよりも前記脚ボトムが高く、かつ前記腰ボトムと脚ボトムとを連続した状態でほぼ同一傾斜に傾斜可能に構成してあることを特徴とするものである。
【０００７】
また、前記ベッドにおいて、前記背ボトムを傾斜可能に設けてあることを特徴とするものである。
【０００８】
また、前記ベッドにおいて、前記腰ボトムを傾斜するためのアクチュエータと前記背ボトムを傾斜するためのアクチュエータは共通のアクチュエータであり、前記腰ボトムを上昇傾斜する場合と前記背ボトムを上昇傾斜する場合は、前記アクチュエータの動作方向が逆方向であることを特徴とするものである。
【０００９】
また、前記ベッドにおいて、前記腰ボトムを上昇動作するためのアクチュエータの動作を制御するための制御装置は、前記腰ボトムの上昇時間、傾斜状態保持時間、下降時間を制御可能であり、前記上昇時間よりも下降時間を長時間に制御する構成であることを特徴とするものである。
【発明の効果】
【００１０】
本発明によれば、ベッド使用者の心臓付近の背面（背中）側が低く、踵側が高くなるように、かつ心臓付近の背中側から踵側に至る部分がほぼ直線を呈する姿勢に支持することができる。したがって血流の回復を効果的に行うことができ、足のむくみやだるみの回復及び疲労回復を効果的に行うことができるものである。
【発明を実施するための最良の形態】
【００１１】
以下、図面を用いて本発明の実施形態に係るベッドについて説明するに、前述したベッドの構成要素と同一機能を奏する構成要素には同一符号を付することとして重複した説明は省略する。
【００１２】
図１を参照するに、本発明の実施形態に係るベッド２１は、支持脚２３を備えたベッドフレーム２５を備えており、このベッドフレーム２５上には、ベッド２１を使用する使用者の人体の背中部を支持する背ボトム２７と、腰部を支持する腰ボトム２９と、脚部を支持する脚ボトム３１とがそれぞれ上昇傾斜可能に備えられている。
【００１３】
より詳細には、常態においては水平な前記脚ボトム３１の自由端側はベッドフレーム２５に備えた支持ブラケット３３に支持されており、この脚ボトム３１の基端部側（前記腰ボトム２９側の端部側）の両側（図１において紙面に垂直な方向の両側）に設けた各ブラケット３５には、両側に設けた遊動杆３７の先端部が枢軸３９を介してそれぞれ枢支連結してある。そして、前記各遊動杆３７の基端部側にはそれぞれローラ４１が回転自在に備えられており、上記各ローラ４１は、前記ベッドフレーム２５の両側に備えた溝形鋼あるいはリップ溝形鋼などのように溝を備えたガイド部材４３における左右方向のガイド溝内に移動自在に係合されている。
【００１４】
前記脚ボトム３１を上昇傾斜するために、前記ベッドフレーム２５には、上昇傾斜作動装置４５が備えられている。より詳細には、前記上昇傾斜作動装置４５は、前記ベッドフレーム２５に備えたブラケット４７に枢軸４９を介して上下に回動（揺動）可能に支持されたベルクランク状のクランク部材５１を備えている。このクランク部材５１の一端側には、昇降用アクチュエータ５３における作動部５７が枢支連結してある。
【００１５】
上記昇降用アクチュエータ５３は、例えば油圧シリンダ等のごとき流体圧シリンダよりなるものであって、前記作動部５７はピストンロッドよりなるものである。上記昇降用アクチュエータ５３の基部側は、前記ベッドフレーム２５に備えたブラケット５９に枢支されている。そして、前記クランク部材５１の先端部には、前記脚ボトム３１を下側から押し上げるための押上ローラ６１が回転自在に備えられている。
【００１６】
なお、前記昇降用アクチュエータ５３は、前記クランク部材５１を上下に回動し得る構成であればよく、流体圧シリンダに限ることなく、例えばモータによって回転されるボールネジ機構も採用可能である。
【００１７】
前記背ボトム２７は、前記腰ボトム２９を間にして前記脚ボトム３１の反対側に配置してあり、この背ボトム２７の基端部側（前記腰ボトム２９側の端部）は、前記ベッドフレーム２５上に設けたガイド部材６３に枢軸６５を介して上下方向へ揺動可能に支持されている。この背ボトム２７は、ベッドフレーム２５に設けた支持ブラケット６７により自由端側を支持されることにより、常態においては、水平状態の前記脚ボトム３１とほぼ同一高位置において水平状態にある。
【００１８】
前記腰ボトム２９は、前記背ボトム２７と脚ボトム３１との間において、ベッドフレーム２５に備えた支持ブラケット６７によって先端部側が支持されることにより、常態においては、前記背ボトム２７，脚ボトム３１とほぼ同一高さ位置において水平状態にある。前記腰ボトム２９の基端部側にはブラケット６９が設けてあり、このブラケット６９に回転自在に備えたローラ７１は、前記ガイド部材６３における左右方向のガイド溝内に移動自在に係合してある。
【００１９】
そして、前記背ボトム２７及び前記腰ボトム２９を上昇傾斜するために上昇傾斜作動装置７３が設けられている。より詳細には、前記ベッドフレーム２５に設けたブラケット７５には、前記背ボトム２７を下側から押し上げる押上ローラ７７を先端側に回転自在に備えたベルクランク状のクランク部材７９が枢軸８１を介して上下に揺動可能に支持されている。
【００２０】
さらに、前記ベッドフレーム２５に備えたブラケット８３には、前記腰ボトム２９を上側から押し上げる押上ローラ８５を先端部に回転自在に備えたベルクランク状のクランク部材８７が枢軸８９を介して上下方向に揺動可能に支持されている。そして、前記クランク部材７９の基端部側と前記クランク部材８７の基端部側との間には、例えば油圧シリンダ等のごとき流体圧シリンダよりなる昇降用アクチュエータ９１が介在してある。
【００２１】
前記クランク部材７９は、前記昇降用アクチュエータ９１におけるピストンロッド９１Ｐを突出作動することにより、図１において反時計回り方向に回動されて、押上ローラ７７によって前記背ボトム２７を押し上げ傾斜するものである。前記クランク部材８７は、前記昇降用アクチュエータ９１におけるピストンロッド９１Ｐを引込み作動することにより、図１において反時計回り方向に回動されて、押上ローラ８５によって腰ボトム２９を押し上げ傾斜するものである。
【００２２】
すなわち、前記昇降用アクチュエータ９１におけるピストンロッド９１Ｐを突出作動すると、クランク部材８７は、図１において時計回り方向に回動する傾向にある。しかし、クランク部材８７に備えた押上ローラ８５がベッドフレーム２５の上面に当接して回動が規制されるので、その反力によりクランク部材７９が反時計回り方向に回動され、押上ローラ７７によって背ボトム２７を、枢軸６５を中心として上昇回動することになる。
【００２３】
逆に、前記昇降用アクチュエータ９１におけるピストンロッド９１Ｐを引込み動作すると、クランク部材７９は、図１において時計回り方向に回動される傾向にあり、押上ローラ７７はベッドフレーム２５の上面に当接されて、回動が規制される。したがって、クランク部材８７が図１において反時計回り方向に回動され、押上ローラ８５によって腰ボトム２９を押上げることになる。前記腰ボトム２９は、押上ローラ８５によって押し上げられると、図１に示すように、前記脚ボトム３１側が高くなるように傾斜することになる。
【００２４】
上記説明より理解されるように、背ボトム２７を上昇傾斜するための昇降用アクチュエータと、腰ボトム２９を上昇傾斜するための昇降用アクチュエータとを共通にし、上記昇降用アクチュエータ９１が逆作動することによって背ボトム２７と腰ボトム２９とが個別に上昇傾斜される構成であるから、昇降用アクチュエータの数を少なくして構成の簡素化を図ることができる。また、背ボトム２７と腰ボトム２９とが同時に逆方向に上昇回動することを防止でき、安全性の向上を図ることができるものである。
【００２５】
前述のごとく腰ボトム２９を上昇回動するとき、前記昇降用アクチュエータ５３を作動してクランク部材５１を、図１において反時計回り方向に回動し、クランク部材５１に備えた押上ローラ６１によって脚ボトム３１を押上げると、脚ボトム３１は、図１に示すように、前記腰ボトム２９とほぼ直線的に接続するように上昇傾斜するものである。
【００２６】
なお、前記背ボトム２７，腰ボトム２９及び脚ボトム３１の上面には、全面に亘るマットレス等の敷物（図示省略）が敷いてあり、この敷物と脚ボトム３１との間の摩擦により、脚ボトム３１は、上昇傾斜した場合に、腰ボトム２９側へ移動することなく、図１に示すごとき状態に保持されるものである。そして、前記腰ボトム２９及び脚ボトム３１を下降することにより、初期の水平状態に復帰されるものである。
【００２７】
さらに、前記昇降用アクチュエータ５３，９１の動作を制御するための制御装置９３が備えられている。この制御装置９３は、前記昇降用アクチュエータ５３，９１の作動によって脚ボトム３１，腰ボトム２９が上昇傾斜するときの上昇時間（上昇速度）、傾斜状態を保持する停止保持時間及び上昇状態から下降するときの下降時間（下降速度）を制御する機能を有するものである。前記上昇時間は１０〜５０秒程度に制御可能であり、停止保持時間は１０〜２０分程度に制御可能である。そして下降速度は極めてゆっくりと下降するように、３〜７分程度に制御可能である。なお、前記上昇時間，停止保持時間及び下降時間を所望時間に設定するためのスイッチ等のごとき入力手段９３Ａ，９３Ｂ，９３Ｃを備えることが望ましいものである。
【００２８】
以上のごとき構成において、背ボトム２７，腰ボトム２９及び脚ボトム３１が水平な初期状態にあるとき、使用者が前記背ボトム２７，腰ボトム２９及び脚ボトム３１上に仰向きに寝た状態にあるとき、制御装置９３の制御の下に昇降用アクチュエータ９１を適宜に作動して、クランク部材７９を、図１において反時計回り方向に回動し、押上ローラ７７によって背ボトム２７を上昇回動すると、背ボトム２７が次第に起こされるので、ベッド上の使用者の上体が起こされるものである。すなわち、ベッドの使用者は、足を伸ばした状態において、背ボトム２７に背中を寄りかけることができるものである。
【００２９】
次に、ベッド使用者における心臓付近の背面（背中）が腰ボトム２９の回動中心付近又は背ボトム２７の回動中心付近の上部に位置するように仰向けに寝た後、前記昇降用アクチュエータ５３，９１を作動して腰ボトム２９及び脚ボトム３１を上昇傾斜すると、使用者の心臓付近を低くして腰部及び脚部を高く上昇することになる。この際、腰部及び脚部は、腰ボトム２９，脚ボトム３１により支持されてほぼ直線状の姿勢に保持されている。したがって、使用者の踵側が心臓付近より高く持上げられて、血流の回復が効果的に行われ、足のむくみやだるさが解消されると共に疲労の回復が図られるものである。
【００３０】
ところで、前記腰ボトム２９，脚ボトム３１の上昇傾斜は、制御装置９３の制御の下に比較的急速（１０〜５０秒間）に行われ、腰ボトム２９，脚ボトム３１を上昇傾斜した状態の停止状態には約１０〜２０分の長時間維持される。そして、上昇傾斜した状態からの下降動作は約３〜７分かけてゆっくりと行われる。したがって、脚部側を高くして眠りに就いた場合であっても、睡眠中に水平状態に戻るものであり、安心して寝ることができるものである。
【００３１】
以上のごとき説明より理解されるように、足のむくみやだるさを取るため及び疲労回復を図るために、踵側を高くして、心臓付近から前記踵側に至る部分をほぼ直線状の姿勢にして眠りに就いた場合であっても、ゆっくりと水平状態に戻されるものであり、眠りを覚ますようなことなく、安心して寝ることができるものである。
【図面の簡単な説明】
【００３２】
【図１】本発明の実施形態に係るベッドの概念的、概略的な説明図である。
【図２】従来のベッドの構成を示す作用説明図である。
【図３】従来のベッドの動作状態を示す説明図である。
【符号の説明】
【００３３】
２１    ベッド
２５    ベッドフレーム
２７    背ボトム
２９    腰ボトム
３１    脚ボトム
５１，７９，８７    クランク部材
５３，９１    昇降用アクチュエータ
６１，７７，８５    押上ローラ
９３    制御装置
【図１】
2006288427.tif 000003
【図２】
2006288427.tif 000004
【図３】
2006288427.tif 000005